(57)【要約】【課題】ユーザが番組予約を行う際に番組情報を入力する手間を省くことができ、また、番組ＣＭが連続して放送された場合においても、的確にユーザの意図を反映した番組予約を行うことができる放送受信装置および番組予約方法を提供する。【解決手段】放送を受信する放送受信部１０５と、番組の予約操作を行う操作部１０３と、操作部１０３により予約操作が行われると、該予約操作が行われたタイミングを基準として所定時間前までに放送受信部１０５により受信した番組宣伝コマーシャルを表示し、表示された番組宣伝コマーシャルに対して選択操作が行われると、選択された番組宣伝コマーシャルに付随する情報に基づいて番組の予約設定を行う制御部１０４を備える。【選択図】図１
2007180674.tif 000002
【特許請求の範囲】
【請求項１】
放送を受信する放送受信手段と、
該放送受信手段により受信した放送内容に含まれる番組宣伝コマーシャルの表示に基づいて番組の予約操作が行われると、前記番組宣伝コマーシャルに付随する情報に基づいて前記番組の予約設定を行う予約手段を具備することを特徴とする放送受信装置。
【請求項２】
放送を受信する放送受信手段と、
番組の予約操作を行う操作手段と、
該操作手段により予約操作が行われると、該予約操作が行われたタイミングを基準として所定時間前までに前記放送受信手段により受信した番組宣伝コマーシャルを表示し、表示された番組宣伝コマーシャルに対して選択操作が行われると、選択された番組宣伝コマーシャルに付随する情報に基づいて前記番組の予約設定を行う予約手段を具備することを特徴とする放送受信装置。
【請求項３】
受信した放送内容に含まれる番組宣伝コマーシャルの表示に基づいて番組の予約操作が行われると、前記番組宣伝コマーシャルに付随する情報に基づいて前記番組の予約設定を行うことを特徴とする番組予約方法。
【請求項４】
番組の予約操作が行われると、該予約操作が行われたタイミングを基準として所定時間前までに、受信した番組宣伝コマーシャルを表示し、表示された番組宣伝コマーシャルに対して選択操作が行われると、選択された番組宣伝コマーシャルに付随する情報に基づいて前記番組の予約設定を行うことを特徴とする番組予約方法。
【発明の詳細な説明】
【技術分野】
【０００１】
本発明は、録画したい番組の予約を行う放送受信装置および番組予約方法に関するものである。
【背景技術】
【０００２】
デジタル放送の放送視聴手段を有する機器において、視聴あるいは録画したい番組の情報を予め設定（視聴予約あるいは録画予約）しておくと、放送開始時間に自動で録画を開始する、あるいは、機器の電源が自動でＯＮになり、視聴可能状態になる機器が既に存在する。また、デジタル放送においてテレビＣＭの詳細情報を入手したいとき、該表示物の詳細情報を取得できる機器が存在する（例えば、特許文献１参照）。
【特許文献１】特開２００４−２００９３２号公報
【発明の開示】
【発明が解決しようとする課題】
【０００３】
これらの機器では、ユーザが番組の放送時間やチャンネル等の情報を、番組表やＥＰＧ（Ｅｌｅｃｔｒｏｎｉｃ  Ｐｒｏｇｒａｍ  Ｇｕｉｄｅ）を用いて検索し、検索により得られた番組情報をこれらの機器に入力して予約するため、入力の煩わしさがあり、また入力間違いを起こすことがあり、さらに、番組情報の検索に多くの時間を要した。また、番組を紹介する番組宣伝コマーシャルの視聴中にその番組を見ながら、または覚えながら予約しようとしても、連続してコマーシャル（以下、ＣＭという）が流れていると、ユーザの判断・操作の遅れにより、ユーザが意図した予約設定ができないという問題があった。
【０００４】
本発明は、このような問題点に鑑みてなされたものであり、本発明の目的は、ユーザが録画予約や視聴予約を行う際に放送時間やチャンネルをその都度確認し入力する手間を省くことができ、また、番組ＣＭが連続して放送された場合においても、的確にユーザの意図を反映した番組予約を行うことができる放送受信装置および番組予約方法を提供することにある。
【課題を解決するための手段】
【０００５】
上記目的を達成するため、本発明の放送受信装置は、放送を受信する放送受信手段と、該放送受信手段により受信した放送内容に含まれる番組宣伝コマーシャルの表示に基づいて番組の予約操作が行われると、前記番組宣伝コマーシャルに付随する情報に基づいて前記番組の予約設定を行う予約手段を具備することを特徴とする。
【０００６】
また、本発明の放送受信装置は、放送を受信する放送受信手段と、番組の予約操作を行う操作手段と、該操作手段により予約操作が行われると、該予約操作が行われたタイミングを基準として所定時間前までに前記放送受信手段により受信した番組宣伝コマーシャルを表示し、表示された番組宣伝コマーシャルに対して選択操作が行われると、選択された番組宣伝コマーシャルに付随する情報に基づいて前記番組の予約設定を行う予約手段を具備することを特徴とする。
【０００７】
また、本発明の番組予約方法は、受信した放送内容に含まれる番組宣伝コマーシャルの表示に基づいて番組の予約操作が行われると、前記番組宣伝コマーシャルに付随する情報に基づいて前記番組の予約設定を行うことを特徴とする。
【０００８】
また、本発明の番組予約方法は、該予約操作が行われたタイミングを基準として所定時間前までに、受信した番組宣伝コマーシャルを表示し、表示された番組宣伝コマーシャルに対して選択操作が行われると、選択された番組宣伝コマーシャルに付随する情報に基づいて前記番組の予約設定を行うことを特徴とする。
【発明の効果】
【０００９】
本発明は、ユーザが録画予約や視聴予約を行う際に放送時間やチャンネルをその都度確認し入力する手間を省くことができる。また、番組ＣＭが連続して放送された場合においても、的確にユーザの意図を反映した番組予約を行うことができる。
【発明を実施するための最良の形態】
【００１０】
次に、本発明の実施の形態について図面を参照して説明する。図１は、本発明の放送受信装置の実施の形態を示す構成図である。放送受信装置は、画面表示部１０１、音声出力部１０２、操作部（操作手段）１０３、制御部（予約手段）１０４、放送受信部（放送受信手段）１０５、計時部１０６、ＣＭ認識部１０７、メモリ部１０８により構成されており、メモリ部１０８は、視聴予約記憶部１０９、録画予約記憶部１１０、ＣＭ記憶部１１１、ＣＭ記憶部１１２、放送記録部１１３、操作タイミング判別部１１４を有している。
【００１１】
図２は、デジタル放送の番組データがブロック化されて放送される状態を示す図である。デジタル放送の番組のデータは、例えば図２に示すようなデータブロックで番組のシーン１〜３、ＣＭ１〜６が完全にブロック化されており、現在どのシーンが流れているか、どのＣＭが流れているかが完全に識別可能であり、ＣＭにはそれぞれ宣伝されている番組のタイトル、放送日時、放送チャンネル等の番組情報が、画像と多重化されて送信されてくるデータに付加されている。
【００１２】
図３および図４は、本発明の放送受信装置の動作を説明するフローチャートである。以下、図３および図４のフローチャートにしたがって、本発明の動作を説明する。
【００１３】
ユーザが放送受信装置の電源をいれると、制御部１０４は、ＣＭ記憶部１１１，１１２のデータの消去を行う（Ｓ１０１）。放送受信部１０５が放送局２００からデジタル放送電波を受信すると、ＣＭ認識部１０７は、現在受信している放送内容が番組宣伝コマーシャル（以下、ＣＭという）であるか、シーンであるかの判別を行い（Ｓ１０２）、ＣＭであると判断した場合は、番組情報の抽出（番組タイトル、放送日時等）とＣＭ画像の録画を行う（Ｓ１０３）。ＣＭか否かの判定は、画像と多重化されて送信されるＣＭデータを解析して行う。
【００１４】
次に、制御部１０４は、ＣＭ記憶部１１１にデータが存在するかの判定を行い（Ｓ１０４）、データが存在しない場合には、そのまま番組情報とＣＭ画像をＣＭ記憶部１１１に保存する（Ｓ１０５）。ＣＭ記憶部１１１にデータが存在した場合、抽出した番組情報とＣＭ記憶部１１１に保存されている番組情報との比較を行い（Ｓ１０６）、同じＣＭであったならば、保存を行わない。同じＣＭでなかったならば、ＣＭ記憶部１１２にデータが存在するかの判定を行い（Ｓ１０７）、データが存在しない場合にはそのまま番組情報とＣＭ画像をＣＭ記憶部１１２に保存する（Ｓ１０９）。ＣＭ記憶部１１２にデータが存在した場合、抽出した番組情報とＣＭ記憶部１１２に保存されている番組情報との比較を行い（Ｓ１０８）、同じＣＭであったならば、保存を行わない。同じＣＭでなかったならば、番組情報とＣＭ画像をＣＭ記憶部１１２に保存する（Ｓ１０９）。このとき、ＣＭ記憶部１１２の情報をＣＭ記憶部１１１に移動し、ＣＭ記憶部１１２に現在取得したＣＭ情報を保存する（Ｓ１０９）。こうすることにより、最近放送されたＣＭを２つ記憶しておくことができる。なお、ＣＭ記憶部１１２の情報をＣＭ記憶部１１１に移動せず、常にＣＭ記憶部１１１とＣＭ記憶部１１２のどちらの情報が古いかを認識しておいて、古い方のＣＭ記憶部に現在取得した番組情報とＣＭ画像を保存するようにしても良い。
【００１５】
ユーザが操作部１０３を操作して、番組の予約動作を行ったときは（Ｓ１１０）、計時部１０６によってＣＭの放送が開始されてから操作部１０３の操作が行われるまでの時間を算出する（Ｓ１１１）。次に、ＣＭ記憶部１１２およびＣＭ記憶部１１１にデータが存在するかの判定を行い（Ｓ１１４，Ｓ１１５）、ＣＭ記憶部１１２にデータが存在せず、ＣＭ記憶部１１１にもデータが存在しない場合、予約動作は行わない。ＣＭ記憶部１１２にデータが存在せず、ＣＭ記憶部１１１にのみデータが存在する場合、ＣＭ記憶部１１１に保存されている番組情報より録画予約・視聴予約設定を行う。ＣＭ記憶部１１２にデータが存在した場合は、操作のタイミング判定を行う（Ｓ１１８）。
【００１６】
その後、図５に示すように、ＣＭ記憶部１１１、１１２に保存されている２つの画像を１つの画面表示部１０１に表示させ（Ｓ１１９）、録画予約・視聴予約画面を表示させて予約を行う（Ｓ１１６）。この動作をユーザが電源を切るまで繰り返す（Ｓ１１７）。
【００１７】
次に、タイミング判定（Ｓ１１８）の動作を説明する。図６は、ＣＭが放送されているときのユーザのＣＭに対する興味の度合いを表す図である。図６に示すように、一般的にユーザのＣＭに対する興味は、ＣＭ開始時から徐々に高まり、一定値に達する。この状態はＣＭ終了まで持続し、ＣＭ終了後徐々に低くなっていき、次のＣＭに興味が移ると考えられる。また、日本におけるＣＭは、１５秒程度のものと、３０秒程度のものとがあるが、この傾向はどちらの場合でも大きな差はないと考えられる。
【００１８】
放送受信装置は、操作タイミング判定部１１４を備えており、操作タイミング判定部１１４は、図７の操作タイミンググラフに示すようなユーザ操作のタイミング判定基準を有している。計時部１０６の計測（Ｓ１１１）により、ユーザがもし、図７のユーザ操作２でＣＭ決定の操作をした場合、操作タイミング判定部１１４は、ＣＭ１の興味が薄れており、ＣＭ２が選択されたと判断する。ユーザが図７のユーザ操作１でＣＭ決定操作をした場合、ＣＭはＣＭ２が放送されているが、確率的にＣＭ１が選択された可能性が高い。このため、操作タイミング判定部１１４は、ＣＭ１が選択されたと判断する。
【００１９】
次に、録画予約・視聴予約（Ｓ１１６）の動作を説明する。表示されているＣＭ画面が１つの場合、そのまま録画予約・視聴予約の設定の有無を行う。表示されている画面が２つの場合、操作タイミング判定（Ｓ１１８）を行った結果、よりユーザが選択した可能性の高い画面にフォーカスを合わせる。図５の場合、右のＣＭのほうにフォーカス（太線）を合わせている。こうすることにより、ユーザは予約番組の選択動作を少なくすることができる。ユーザは２つの画面の予約したい番組にフォーカスを合わせて予約を行う。
【００２０】
また、操作タイミング判別部１１４は、ユーザの選択したＣＭにあわせて、操作タイミング判定部１１４の有する操作タイミンググラフを変化させることができる。具体例を図８に示す。図８のグラフは１５秒のＣＭが２つ流れる場合を想定している。横軸にＣＭ開始からの経過時間、縦軸にユーザのＣＭに対する興味を示しており、経過時間の（）内の数値はＣＭ２の経過時間である。いまユーザはＣＭ１の経過時間１５〜１８秒（ＣＭ２がスタートしてから３〜６秒経）でＣＭ選択操作を行ったとする。操作タイミング判定部１１４は、操作前グラフより、ＣＭ１が選択されたと判定する。しかし、実際にはユーザはＣＭ２を選択しており、ＣＭ２を予約したとする。このとき、ＣＭ２の選択されたタイミングの選択頻度を図８の操作後グラフのように変化させる。すなわち、操作タイミング判別を行うために、計時部１０６は、ＣＭ１およびＣＭ２のスタートからユーザがＣＭ決定操作を行うまでの時間を計測している。番組予約が行われた際、このデータを取得する。そして、どちらのＣＭが選択されたかにより、選択されたＣＭの選択された時間範囲の選択頻度を２ポイント上げ、選択されなかった方のＣＭの選択頻度を２ポイント下げる。また、次回選択されるときの誤差を考慮して、その前後の時間範囲の選択頻度を１ポイントずつ上げる、あるいは下げる。選択頻度の変更により、ＣＭ１とＣＭ２の選択頻度が同じとなった場合、強制的にＣＭ１が選択されたと判断する。こうすることにより、次回ユーザが同じタイミングで予約を行おうとしたとき、予約動作時のフォーカスはＣＭ１ではなくＣＭ２に合わせられる。これにより、さらにユーザの予約操作を行い易くすることができる。
【００２１】
次に、本発明の他の実施の形態を説明する。番組ＣＭの前に番組ＣＭ以外のシーンがあったときや放送受信装置の電源を入れた直後である場合、あるいは番組ＣＭの次が、興味のある画面（番組の本編など）の場合、ユーザの興味の度合いは、図９に示すようになると考えられる。図９の破線は一般的な興味の度合いの変化を示している。番組ＣＭ直前に番組ＣＭ以外のシーンがあった場合、番組ＣＭが始まった直後にそのシーンへの興味は無くなり、番組ＣＭへの興味は最大となる。また、番組ＣＭの直後に興味のある画面が始まった場合、番組ＣＭへの興味は全く無くなり、興味のあるシーンへの興味は最大となる。
【００２２】
番組ＣＭ直後に現在視聴中の番組の本編（シーン）が開始されたときは、操作タイミング判別部は、図１０に示すようなシーン直前の操作タイミンググラフの判定基準に切り替えを行う。具体的には、図３，４のＳ１０２で“Ｎｏ”が選択された場合、その直後にＣＭ記憶部１１２にデータが存在するか判断する。データが存在する場合は、図１０の操作タイミンググラフの判定基準に切り替える。
【００２３】
また、ＣＭに付加されるデータの中にはＣＭが何分間放送されるかのデータが付加されているとする。ＣＭ認識部１０７が番組ＣＭの直前がシーンであった、あるいは番組ＣＭ以外であったと判断した場合、操作タイミング判別部は、図１１に示すようなシーン直後の操作タイミンググラフの判定基準を使用してユーザ操作のタイミング判別を行う。具体的には、図３，４のＳ１０４で“Ｎｏ”が選択された直後、操作タイミング判別部１１４は、図７の操作タイミンググラフの判定基準から図１１の操作タイミンググラフの判定基準に切り替える。そして、ＣＭ記憶部１１１、１１２の情報を破棄する。ＣＭ１の放送時間は計時部１０６で計測しており、ＣＭ１の放送時間の半分を終了してもＣＭ選択操作が行われなかった場合、あるいは予約操作が終了またはキャンセルされた場合、再び判定基準を通常の図７の操作タイミンググラフの判定基準に切り替える。
【００２４】
以上により、本発明は、ユーザが番組宣伝コマーシャルを見ながら希望の番組を予約することを可能とし、ＥＰＧや新聞の番組欄を見ながら予約するといった煩わしさから開放することができる。また、番組ＣＭが連続して放送された場合においても、的確にユーザの意図を反映した番組予約を行うことができる。さらに、操作タイミング判定部により、操作タイミンググラフの判定基準を切り替えることによって、使用するたびにユーザに使用しやすい予約システムとなる。
【００２５】
なお、上述した発明は、番組宣伝コマーシャルだけでなく、商品コマーシャルにも利用できる。番組情報の代わりに商品情報（商品名、価格、企業ＵＲＬ）を付加し、どのＣＭをユーザが選択したかを的確に判定することができる。
【００２６】
また、上述した発明は、携帯電話機やＰＤＡ等のポータブルの端末にも搭載できる。またデジタル放送だけでなく、従来のアナログ放送にも利用できる。
【００２７】
また、本発明は、上述した実施の形態に限定されるものではなく、ＨＤＤ（ハードディスクドライブ）に長時間録画しているものの中から所定時間前までのＣＭを操作に応じて表示し、予約として用いても良い。
【００２８】
また、上述のように、予約のために用いるデータが現時点よりも過去のものであれば対象外とする処理をしても良い。
【図面の簡単な説明】
【００２９】
【図１】本発明のデジタル放送受信装置の実施の形態を示す構成図である。
【図２】デジタル放送の番組データがブロック化されて放送される状態を示す図である。
【図３】本発明のデジタル放送受信装置の動作を説明するフローチャートである。
【図４】本発明のデジタル放送受信装置の動作を説明するフローチャートである。
【図５】録画予約画面の一例を示す図である。
【図６】ＣＭが放送されているときのユーザのＣＭに対する興味の度合いを表す図である。
【図７】操作タイミング判定部が有する操作タイミンググラフの判定基準を示す図である。
【図８】ユーザの選択したＣＭにあわせて操作タイミンググラフが変化する様子を示す図である。
【図９】ユーザのＣＭに対する一般的な興味の度合いの変化を示す図である。
【図１０】シーン直前の操作タイミンググラフを示す図である。
【図１１】シーン直後の操作タイミンググラフを示す図である。
【符号の説明】
【００３０】
１０１  画面表示部
１０２  音声出力部
１０３  操作部
１０４  制御部
１０５  放送送受信部
１０６  計時部
１０７  ＣＭ認識部
１０８  メモリ部
１０９  視聴予約記憶部
１１０  録画予約記憶部
１１１，１１２  ＣＭ記憶部
１１３  放送記録部
１１４  操作タイミング判別部
【図１】
2007180674.tif 000003
【図２】
2007180674.tif 000004
【図３】
2007180674.tif 000005
【図４】
2007180674.tif 000006
【図５】
2007180674.tif 000007
【図６】
2007180674.tif 000008
【図７】
2007180674.tif 000009
【図８】
2007180674.tif 000010
【図９】
2007180674.tif 000011
【図１０】
2007180674.tif 000012
【図１１】
2007180674.tif 000013